(57)【要約】【課題】ケースに内在する物品が何であるかを物品の払い出しを希望する者に認識させることを課題とする。【解決手段】利用者の物品を内在したケースを収納し、当該ケース各々を識別可能な識別情報の入力を受け付けると、当該識別情報によって識別されるケースを排出するケース収納装置であって、識別情報と当該識別情報によって識別されるケースに内在する物品が何であるかを示す内在物品情報とを対応付けて記憶し、利用者が同一である一つまたは複数のケースを特定可能な特定情報の入力を受け付けると、特定情報によって特定される一つまたは複数のケースを識別する識別情報各々に対応付けられた内在物品情報を記憶部から取得し、取得した内在物品情報を、内在物品情報によって示される物品を内在するケースごとに区分けして所定の出力部に出力する。【選択図】        図１
2008305355.tif 000002
【特許請求の範囲】
【請求項１】
利用者の物品を内在したケースを収納し、当該ケース各々を識別可能な識別情報の入力を受け付けると、当該識別情報によって識別されるケースを排出するケース収納装置であって、
前記識別情報と当該識別情報によって識別されるケースに内在する物品が何であるかを示す内在物品情報とを対応付けて記憶する内在物品情報記憶手段と、
前記利用者が同一である一つまたは複数のケースを特定可能な特定情報の入力を受け付けると、前記内在物品情報記憶手段から、当該特定情報によって特定される一つまたは複数のケースを識別する識別情報各々に対応付けられた内在物品情報を取得する内在物品情報取得手段と、
前記内在物品情報取得手段によって取得された内在物品情報を、当該内在物品情報によって示される物品を内在するケースごとに区分けして所定の出力部に出力する内在物品情報出力手段と
を備えたことを特徴とするケース収納装置。
【請求項２】
前記内在物品情報取得手段は、前記利用者が同一であるケースが複数であることを条件として、前記内在物品情報を取得し、
前記内在物品情報出力手段は、前記利用者が同一であるケースが複数であることを条件として、前記複数の内在物品情報を、当該内在物品情報によって示される物品を内在するケースごとに区分けしたリストにして所定の出力部に出力することを特徴とする請求項１に記載のケース収納装置。
【請求項３】
前記ケースが収納される際に、当該ケースに内在された前記利用者の物品が何であるかを示す内在物品情報を、所定の出力部に出力される物品を示す情報が選択されることによって、もしくは、当該物品を示す情報が所定の入力部から入力されることによって、前記内在物品情報記憶手段に記憶させる内在物品情報入力手段をさらに備えたことを特徴とする請求項１または２に記載のケース収納装置。
【請求項４】
前記内在物品情報記憶手段に前記内在物品情報が記憶されているケースの現状に関するデータとして、当該ケースに内在されている物品の重量データ、もしくは、当該物品の画像データを記憶する重量画像データ記憶手段と、
前記ケースが排出された後に再び収納される際に、当該ケースに現に内在されている物品の重量データ、もしくは、当該物品の画像データを取得し、前記重量画像データ記憶手段によって記憶されている重量データと取得された当該重量データとを比較することによって、もしくは、前記重量画像データ記憶手段によって記憶されている画像データと取得された当該画像データとを比較することによって、当該ケースに内在されている物品に変化があったか否かを判定する判定手段と、
前記判定手段によって前記ケースに内在されている物品に変化があったことが判定された場合に、当該ケースに内在されている前記利用者の物品が何であるかを示す内在物品情報を、前記内在物品情報記憶手段に改めて記憶させることを促す情報を所定の出力部に出力する再登録情報出力手段と
をさらに備えたことを特徴とする請求項３に記載のケース収納装置。
【請求項５】
前記ケースの前記収納および／または前記排出に関する履歴情報を記憶する履歴情報記憶手段をさらに備え、
前記内在物品情報出力手段は、前記履歴情報記憶手段によって記憶された前記履歴情報をさらに出力することを特徴とする請求項１〜４のいずれか一つに記載のケース収納装置。
【請求項６】
利用者の物品を内在したケースを収納して当該ケース各々を識別可能な識別情報の入力を受け付けると当該識別情報によって識別されるケースを排出するケース収納装置、および、当該ケース収納装置を使用する使用者の端末の各々と、ネットワークを介して通信可能に接続されたサーバであって、
前記識別情報と当該識別情報によって識別されるケースに内在する物品が何であるかを示す内在物品情報とを前記ケース収納装置から取得して対応付けて記憶する内在物品情報記憶手段と、
前記利用者が同一である一つまたは複数のケースを特定可能な特定情報を前記端末から受信すると、前記内在物品情報記憶手段から、当該特定情報によって特定される一つまたは複数のケースを識別する識別情報各々に対応付けられた内在物品情報を取得する内在物品情報取得手段と、
前記内在物品情報取得手段によって取得された内在物品情報を、当該内在物品情報によって示される物品を内在するケースごとに区分けして、前記端末に送信する内在物品情報送信手段と
を備えたことを特徴とするサーバ。
【発明の詳細な説明】
【技術分野】
【０００１】
この発明は、ケース収納装置およびサーバに関する。
【背景技術】
【０００２】
従来、銀行などの金融機関において、各顧客は、自らの通帳やキャッシュカードを用いて預金や引き出しを行うので、通帳やキャッシュカード等の重要物は、顧客の自己責任の下に管理されるのが原則であった。ところが、最近では、かかる重要物を金融機関で預かる業務が普及しつつあり、このような業務を実現する各種技術が提案されている。
【０００３】
例えば、特許文献１に開示されている重要物預かり機は、カセットを一意に識別するカセット番号で管理されるカセットに顧客の重要物を収納し、当該カセットを重要物預かり機のカセット収納部に収納する。また、重要物預かり機は、顧客によって入力されたカセット番号を受け付けると、受け付けたカセット番号によって識別されるカセットをカセット収納部から取り出し、顧客に排出するなどする。
【０００４】
【特許文献１】特開２００７−４４９４号公報
【発明の開示】
【発明が解決しようとする課題】
【０００５】
ところで、上記した従来の技術では、以下に説明するように、ケースに内在する物品が何であるかを物品の払い出しを希望する者に認識させることができないという課題があった。すなわち、上記した重要物預かり機の例で説明すると、顧客は、重要物預かり機に預けた重要物を記憶するなりメモするなりしておかない限り、重要物の払い出しの際に、カセットに内在する重要物が何であるかを認識することができない。仮に、顧客が、顧客の重要物を複数のカセットに預けた場合には、顧客は、カセット番号の表示のみでは、払い出しを希望する重要物がいずれのカセットに内在するかを認識することができない。この場合、顧客は、複数のカセット全てを重要物預かり機に排出させ、各々のカセットに内在する重要物を確認し、払い出しを希望する重要物が内在しているカセット以外のカセットについては、再度、重要物預かり機に預けるなどしなければならないことになる。
【０００６】
なお、上記した課題は、重要物預かり機のみならず、利用者の物品を内在したケースを収納し、当該ケース各々を識別可能な識別情報の入力を受け付けると、当該識別情報によって識別されるケースを排出する装置であれば、同様に課題となる。
【０００７】
そこで、この発明は、上記した従来技術の課題を解決するためになされたものであり、ケースに内在する物品が何であるかを物品の払い出しを希望する者に認識させることが可能なケース収納装置およびサーバを提供することを目的とする。
【課題を解決するための手段】
【０００８】
上述した課題を解決し、目的を達成するため、請求項１に係る発明は、利用者の物品を内在したケースを収納し、当該ケース各々を識別可能な識別情報の入力を受け付けると、当該識別情報によって識別されるケースを排出するケース収納装置であって、前記識別情報と当該識別情報によって識別されるケースに内在する物品が何であるかを示す内在物品情報とを対応付けて記憶する内在物品情報記憶手段と、前記利用者が同一である一つまたは複数のケースを特定可能な特定情報の入力を受け付けると、前記内在物品情報記憶手段から、当該特定情報によって特定される一つまたは複数のケースを識別する識別情報各々に対応付けられた内在物品情報を取得する内在物品情報取得手段と、前記内在物品情報取
得手段によって取得された内在物品情報を、当該内在物品情報によって示される物品を内在するケースごとに区分けして所定の出力部に出力する内在物品情報出力手段とを備えたことを特徴とする。
【０００９】
また、請求項２に係る発明は、上記の発明において、前記内在物品情報取得手段は、前記利用者が同一であるケースが複数であることを条件として、前記内在物品情報を取得し、前記内在物品情報出力手段は、前記利用者が同一であるケースが複数であることを条件として、前記複数の内在物品情報を、当該内在物品情報によって示される物品を内在するケースごとに区分けしたリストにして所定の出力部に出力することを特徴とする。
【００１０】
また、請求項３に係る発明は、上記の発明において、前記ケースが収納される際に、当該ケースに内在された前記利用者の物品が何であるかを示す内在物品情報を、所定の出力部に出力される物品を示す情報が選択されることによって、もしくは、当該物品を示す情報が所定の入力部から入力されることによって、前記内在物品情報記憶手段に記憶させる内在物品情報入力手段をさらに備えたことを特徴とする。
【００１１】
また、請求項４に係る発明は、上記の発明において、前記内在物品情報記憶手段に前記内在物品情報が記憶されているケースの現状に関するデータとして、当該ケースに内在されている物品の重量データ、もしくは、当該物品の画像データを記憶する重量画像データ記憶手段と、前記ケースが排出された後に再び収納される際に、当該ケースに現に内在されている物品の重量データ、もしくは、当該物品の画像データを取得し、前記重量画像データ記憶手段によって記憶されている重量データと取得された当該重量データとを比較することによって、もしくは、前記重量画像データ記憶手段によって記憶されている画像データと取得された当該画像データとを比較することによって、当該ケースに内在されている物品に変化があったか否かを判定する判定手段と、前記判定手段によって前記ケースに内在されている物品に変化があったことが判定された場合に、当該ケースに内在されている前記利用者の物品が何であるかを示す内在物品情報を、前記内在物品情報記憶手段に改めて記憶させることを促す情報を所定の出力部に出力する再登録情報出力手段とをさらに備えたことを特徴とする。
【００１２】
また、請求項５に係る発明は、上記の発明において、前記ケースの前記収納および／または前記排出に関する履歴情報を記憶する履歴情報記憶手段をさらに備え、前記内在物品情報出力手段は、前記履歴情報記憶手段によって記憶された前記履歴情報をさらに出力することを特徴とする。
【００１３】
また、請求項６に係る発明は、利用者の物品を内在したケースを収納して当該ケース各々を識別可能な識別情報の入力を受け付けると当該識別情報によって識別されるケースを排出するケース収納装置、および、当該ケース収納装置を使用する使用者の端末の各々と、ネットワークを介して通信可能に接続されたサーバであって、前記識別情報と当該識別情報によって識別されるケースに内在する物品が何であるかを示す内在物品情報とを前記ケース収納装置から取得して対応付けて記憶する内在物品情報記憶手段と、前記利用者が同一である一つまたは複数のケースを特定可能な特定情報を前記端末から受信すると、前記内在物品情報記憶手段から、当該特定情報によって特定される一つまたは複数のケースを識別する識別情報各々に対応付けられた内在物品情報を取得する内在物品情報取得手段と、前記内在物品情報取得手段によって取得された内在物品情報を、当該内在物品情報によって示される物品を内在するケースごとに区分けして、前記端末に送信する内在物品情報送信手段とを備えたことを特徴とする。
【発明の効果】
【００１４】
請求項１の発明によれば、利用者の物品を内在したケースを収納し、当該ケース各々を識別可能な識別情報の入力を受け付けると、当該識別情報によって識別されるケースを排出するケース収納装置であって、識別情報と当該識別情報によって識別されるケースに内在する物品が何であるかを示す内在物品情報とを対応付けて記憶し、利用者が同一である一つまたは複数のケースを特定可能な特定情報の入力を受け付けると、特定情報によって特定される一つまたは複数のケースを識別する識別情報各々に対応付けられた内在物品情報を記憶部から取得し、取得した内在物品情報を、内在物品情報によって示される物品を内在するケースごとに区分けして所定の出力部に出力するので、ケースに内在する物品が何であるかを物品の払い出しを希望する者に認識させることが可能になる。
【００１５】
また、請求項２の発明によれば、利用者が同一であるケースが複数であることを条件として、内在物品情報を取得し、利用者が同一であるケースが複数であることを条件として、複数の内在物品情報を、内在物品情報によって示される物品を内在するケースごとに区分けしたリストにして所定の出力部に出力するので、上記の効果に加え、利用者が一つのケースのみをケース収納装置に収納させている場合には、ケースの内在物品情報を出力することなく直ちにケースを排出するなど、利用者の契約形態等に応じた個別対応をすることも可能になる。
【００１６】
また、請求項３の発明によれば、ケースが収納される際に、ケースに内在された利用者の物品が何であるかを示す内在物品情報を、所定の出力部に出力される物品を示す情報が選択されることによって、もしくは、物品を示す情報が所定の入力部から入力されることによって、内在物品情報をケース収納装置に記憶させるので、上記の効果に加え、ケース収納装置の利用契約時やケースの預け入れ時などに、利用者によって内容物情報を登録させることも可能になる。
【００１７】
また、請求項４の発明によれば、ケース収納装置に内在物品情報が記憶されているケースの現状に関するデータとして、当該ケースに内在されている物品の重量データ、もしくは、当該物品の画像データを記憶し、ケースが排出された後に再び収納される際に、当該ケースに現に内在されている物品の重量データ、もしくは、当該物品の画像データを取得し、記憶部に記憶している重量データと取得した当該重量データとを比較することによって、もしくは、記憶部に記憶している画像データと取得した当該画像データとを比較することによって、当該ケースに内在されている物品に変化があったか否かを判定し、ケースに内在されている物品に変化があったことを判定した場合に、当該ケースに内在されている利用者の物品が何であるかを示す内在物品情報を、記憶部に改めて記憶させることを促す情報を所定の出力部に出力するので、上記の効果に加え、内在されている物品の重量データや画像データを解析することによって、内在されている物品の同一性（払い出し前と払い出し後との同一性）を判定し、この判定結果に基づいて、内在物品情報を利用者に（再）登録させることも可能になる。
【００１８】
また、請求項５の発明によれば、ケースの収納や排出に関する履歴情報を記憶し、記憶部に記憶した履歴情報をさらに出力するので、上記の効果に加え、利用者は、利用者とケース収納装置との間の取引に関する履歴情報を確認することも可能になる。
【００１９】
また、請求項６の発明によれば、利用者の物品を内在したケースを収納して当該ケース各々を識別可能な識別情報の入力を受け付けると当該識別情報によって識別されるケースを排出するケース収納装置、および、当該ケース収納装置を使用する使用者の端末の各々と、ネットワークを介して通信可能に接続されたサーバであって、識別情報と当該識別情報によって識別されるケースに内在する物品が何であるかを示す内在物品情報とをケース収納装置から取得して対応付けて記憶し、利用者が同一である一つまたは複数のケースを特定可能な特定情報を端末から受信すると、特定情報によって特定される一つまたは複数
のケースを識別する識別情報各々に対応付けられた内在物品情報を記憶部から取得し、取得した内在物品情報を、内在物品情報によって示される物品を内在するケースごとに区分けして、端末に送信するので、上記の効果に加え、利用者は、内在物品情報を、インターネットを介したＷｅｂ通信やメール通信などで確認することも可能になる。
【発明を実施するための最良の形態】
【００２０】
以下に添付図面を参照して、本発明に係るケース収納装置およびサーバの実施例を詳細に説明する。なお、以下の実施例では、ケース収納装置の好適な実施例として重要物預かり機を説明するが、本発明はこれに限られるものではない。本発明は、以下の実施例で説明する重要物預かり機のみならず、利用者の物品を内在したケースを収納し、当該ケース各々を識別可能な識別情報の入力を受け付けると、当該識別情報によって識別されるケースを排出する装置であれば、同様に適用することができる。
【実施例１】
【００２１】
［用語の説明］
最初に、以下の実施例で用いる主要な用語を説明する。以下の実施例で用いる「重要物預かり機（特許請求の範囲に記載の「ケース収納装置」に対応する）」とは、顧客の重要物を内在した「カセット（特許請求の範囲に記載の「ケース」に対応する）」を収納し、「カセット番号（特許請求の範囲に記載の「識別情報」に対応する）」の入力を受け付けると、当該カセット番号によって識別されるカセットを排出する装置である。このような重要物預かり機は、主として、銀行、郵便局などの金融機関や、ＡＴＭ（Automatic  Tellers  Machine）などが設置されている場所に設置される。
【００２２】
図１は、実施例１における重要物預かり機の概要および特徴を説明するための図である。重要物預かり機１００は、図１に示すように、顧客の重要物を内在したカセット２００の受け入れまたは排出を行うカセット受渡口１２０と、顧客に対するガイダンスの表示およびカセット番号の入力を受け付ける表示操作部１３０（生体情報認証部１４０の左横、図４を参照）と、顧客の生体情報に基づく認証処理を行う生体情報認証部１４０と、カセット受渡口１２０に挿入されたカセット２００をカセット番号に対応するカセット収納部３００の所定の位置まで搬送するカセット搬送装置４００と、カセット２００を収納するカセット収納部３００とを有する。また、図１に示すように、カセット２００は、ＲＦＩＤ（Radio  Frequency  Identification）タグ２３０（以下、単に「ＩＤタグ」と言う）を備えており、このＩＤタグ２３０が、４桁のカセット番号を保持する。また、図１に示すように、カセット搬送装置４００は、リーダライタ４０１を備えており、このリーダライタ４０１が、無線通信によって、ＩＤタグ２３０からカセット番号等を読み出したり、ＩＤタグ２３０へデータを書き込んだりする。
【００２３】
ここで、カセット２００を収納するカセット収納部３００の位置は、カセット番号に対応してそれぞれ予め設定されている。具体的には、重要物預かり機１００は、カセット収納部３００の各位置に付与されるアドレス番号を、カセット２００に付与される４桁のカセット番号と対応付けて、記憶部３５０（ハードディスク装置等の二次記憶媒体）内のカセット収納テーブル３５２に格納している。また、重要物預かり機１００は、カセット番号と顧客の生体情報である静脈情報とを対応付けて、記憶部３５０内の顧客情報登録テーブル３５１に格納している。なお、登録される生体情報は、重要物預かり機１００内部の顧客情報登録テーブル３５１に記憶されるのではなく、ＩＤタグ２３０内に保持されることもできる。また、以下の実施例においては、顧客の生体情報として顧客の手の静脈情報を用いる手法を説明するが、顧客の生体情報として、指紋、掌紋、顔画像等のいずれを用いてもよい。
【００２４】
ところで、重要物預かり機１００の動作について簡単に説明しておくと、顧客が、重要
物預かり機１００に重要物を預け入れる場合には、まず、表示操作部１３０上に表示された「預け入れ」のアイコンが顧客によって指示選択され、重要物預かり機１００は、顧客によってカセット受渡口１２０に挿入されたカセット２００を受け入れる。そして、カセット搬送装置４００のリーダライタ４０１が、カセット２００のＩＤタグ２３０から４桁のカセット番号を読み出すことでカセット番号の入力を受け付けると、重要物預かり機１００は、カセット収納テーブル３５２を参照してカセット番号に対応するカセット収納部３００の位置を特定し、特定したカセット収納部３００の位置までカセット搬送装置４００によってカセット２００を搬送する。
【００２５】
また、顧客が、この重要物預かり機１００に預け入れている重要物を払い出す場合には、まず、表示操作部１３０上に表示された「払い出し」のアイコンが顧客によって指示選択され、重要物預かり機１００は、表示操作部１３０上に表示されたガイダンスにしたがって入力されるカセット番号の入力を受け付けたり、生体情報認証部１４０によって顧客の正当性を認証するなどする。例えば、顧客が、重要物預かり機１００に一つのカセット２００のみを預けていることを前提として説明すると、まず、顧客は、４桁のカセット番号を入力して、生体情報認証部１４０に手をかざす。すると、重要物預かり機１００は、４桁のカセット番号に対応する登録生体情報（静脈情報）を顧客情報登録テーブル３５１から取り出し、生体情報認証部１４０によって取得された顧客の入力生体情報（静脈情報）と照合し、認証する。その結果、両者が同一人の生体情報（静脈情報）であると判定された場合には、重要物預かり機１００は、カセット収納テーブル３５２を参照してカセット番号に対応するカセット収納部３００の位置を特定し、特定したカセット収納部３００の位置に収納されたカセット２００を、カセット受渡口１２０から排出する。
【００２６】
［実施例１における重要物預かり機の概要および特徴］
続いて、実施例１における重要物預かり機の概要および特徴を説明する。実施例１における重要物預かり機１００は、上記したように、顧客の重要物を内在したカセットを収納し、当該カセット各々を識別可能なカセット番号の入力を受け付けると、当該カセット番号によって識別されるカセットを排出することを概要とし、カセットに内在する重要物が何であるかを重要物の払い出しを希望する者に認識させることを主たる特徴とする。
【００２７】
この主たる特徴について簡単に説明すると、実施例１における重要物預かり機１００は、記憶部３５０内に、顧客情報登録テーブル３５１とカセット収納テーブル３５２とを格納する他に、カセット内容物テーブル３５３をも格納している。かかるカセット内容物テーブル３５３は、カセット番号と、当該カセット番号によって識別されるカセットに内在する重要物が何であるかを示す内容物情報（特許請求の範囲に記載の「内在物品情報」に対応する）とを対応付けて記憶する。例えば、図１に示すように、カセット内容物テーブル３５３は、カセット番号『０１２９』と、内容物情報『現金』とを対応付けて記憶する。
【００２８】
このような構成のもと、実施例１における重要物預かり機１００は、重要物の払い出しの際に、顧客が同一である一つまたは複数のカセットを特定可能な特定情報の入力を受け付けると、カセット内容物テーブル３５３から、特定情報によって特定される一つまたは複数のカセットを識別するカセット番号各々に対応付けられた内容物情報を取得する。
【００２９】
ここで、「顧客が同一である一つまたは複数のカセットを特定可能な特定情報」とは、顧客によって入力されるカセット番号や、顧客によって入力される生体情報のことである。つまり、実施例１において、重要物預かり機１００は、同一の顧客について複数のカセットを預かることもあるので、顧客が同一であるカセットは、一つのカセットである場合も複数のカセットである場合もある。カセット番号が入力されれば、一つのカセットが特定されることはもちろんのこと、重要物預かり機１００は、顧客情報登録テーブル３５１
を探索するなどして、当該カセット番号によって識別されるカセットと顧客が同一である複数のカセットを特定する。同様に、生体情報が入力されれば、重要物預かり機１００は、顧客情報登録テーブル３５１を探索するなどして、当該生体情報によって特定される顧客によって預け入れられている複数のカセットを特定する。
【００３０】
例えば、重要物預かり機１００は、特定情報として、カセット番号『０１２９』の入力を受け付けると、顧客情報登録テーブル３５１を探索するなどして、当該カセット番号『０１２９』によって識別されるカセットと顧客が同一である複数のカセットのカセット番号『０１３０』、『０１３１』、『０１３２』、および『０１３３』を特定し、図１に示すように、カセット内容物テーブル３５３から、カセット番号『０１２９』、『０１３０』、『０１３１』、『０１３２』、および『０１３３』各々に対応付けられた内容物情報として、『現金』、『指輪』、『○○銀行通帳』、『写真』、および『妻専用カセット』を取得する。
【００３１】
次に、実施例１における重要物預かり機１００は、取得された内容物情報を、当該内容物情報によって示される重要物を内在するカセットごとに区分けして、所定の出力部に出力する。例えば、重要物預かり機１００は、図１に示すように、内容物情報『現金』、『指輪』、『○○銀行通帳』、『写真』、および『妻専用カセット』を、カセットごとに区分けして、表示操作部１３０に出力する。
【００３２】
このようにして、実施例１における重要物預かり機１００は、カセット番号と内容物情報とを対応付けてカセット内容物テーブル３５３に記憶し、カセット番号や生体情報の入力を受け付けると、カセット内容物テーブル３５３から、入力されたカセット番号や生体情報によって特定されるカセット２００の内容物情報を取得し、表示操作部１３０に出力するので、重要物の払い出しの際に、カセット２００に内在する物品が何であるかを重要物の払い出しを希望する者に認識させることが可能になる。
【００３３】
［実施例１における重要物預かり機の構成］
次に、図２〜８を用いて、実施例１における重要物預かり機の構成を説明する。図２は、図１に示したカセットの蓋を閉めた状態および蓋を開けた状態を示す斜視図であり、図３は、ＩＤタグ内のメモリに記憶したデータの一例を示す図であり、図４は、実施例１における重要物預かり機の外観を示す斜視図であり、図５は、実施例１における重要物預かり機の構成を示すブロック図であり、図６は、顧客情報登録テーブルを説明するための図であり、図７は、カセット収納テーブルを説明するための図であり、図８は、カセット内容物テーブルを説明するための図である。
【００３４】
［カセット２００］
図２に示すように、カセット２００は、上部ケース２１０の一側縁と下部ケース２２０の一側縁とを開閉自在に接合して、薄厚状のカバン型に形成されている。このため、このカセット２００の内部には、顧客によって重要物預かり機１００に預け入れられる重要物を収納することができる。図２の（Ｂ）では、カセット２００が、顧客の預金通帳（○△銀行）と印鑑とを内部に収納した場合を示しているが、このカセット２００には、銀行の預金通帳や印鑑以外にも、顧客が重要物としている物品（例えば、他の銀行の預金通帳、有価証券、証書類、パスポート、キャッシュカード、鍵など）を適宜収納することもできる。
【００３５】
図２に示すように、カセット２００の下部ケース２２０には、非接触型のＩＤタグ２３０が取り付けられている。このＩＤタグ２３０は、データを記憶するメモリ２３１を内在するＩＣチップとアンテナ部とにより形成されており、このメモリ２３１内には、図３に示すように、カセット番号、銀行コード、支店コードおよび機体番号が格納されている。
なお、このＩＤタグ２３０の配設位置は、図示した位置に限定されるものではなく、下部ケース２２０の他の位置や上部ケース２１０に配設することもできる。
【００３６】
カセット番号とは、すでに例示して説明したように、１０進数を４桁並べた『００００』〜『９９９９』までの番号であって、カセット各々を識別可能なユニークな番号である。なお、図３においては、説明の便宜上から、『ＸＸＸＸ』で示している。カセット番号は、顧客にカセットを発行する際に、空き番号の中から顧客によって任意に選択されることができる。空き番号については、重要物預かり機１００または管理装置１６０（例えば、銀行内部に配設されたサーバ装置など、図４を参照）が管理しており、重要物預かり機１００または管理装置１６０は、新たなカセットを発行する都度、当該カセットのカセット番号を空き番号から削除する。
【００３７】
銀行コードは、顧客の取引銀行の銀行コードであり、図３においては、『ＡＢＳＸＸＸ』である場合を示しており、支店コードは、取引銀行の支店を特定する支店コードであり、図３においては、『Ｈ２０ＸＸＸ』である場合を示している。機体番号は、重要物預かり機１００が複数台配設される場合の各装置の号機番号であり、図３においては、『１』である場合を示している。なお、この号機番号に代えて重要物預かり機１００の製造番号（ロット番号等）を用いることもできる。
【００３８】
なお、実施例１においては、ＩＤタグ２３０内にカセット番号等を格納する手法を説明したが、本発明はこれに限られるものではない。例えば、ＩＤタグ２３０を用いる代わりにカセット番号等の情報を有するバーコードを、カセット２００に貼付することもできる。この場合には、リーダライタ４０１は、バーコードリーダとする必要がある。ただし、バーコードは、保持できる情報量に制約があることから、情報の一部のみをバーコードに持たせ、残部を重要物預かり機１００内部に保持させることもできる。
【００３９】
図２に戻ると、図２の（Ａ）に示すように、下部ケース２２０の側面の２箇所に、一対のピン２４０が設けられており、このピン２４０は、カセット搬送装置４００の把持機構部の把持アームと係合自在の形状に構成されている。顧客によってカセット２００が重要物預かり機１００に預け入れられる場合には、この一対のピン２４０と一対の把持アームとが互いに係合し把持することで、カセット２００を本体部１１０に引き込むことができる。
【００４０】
また、図２の（Ｂ）に示すように、カセット２００の上部ケース２１０のほぼ中央位置には、ロック爪２１１が設けられている。このロック爪２１１は、カセット２００の上部ケース２１０を閉じた際に施錠を行う施錠機構であり、この施錠機構は、施錠ロック２５０の番号（４桁の暗証番号）の組み合わせにより、適宜、カセット２００の施錠や解錠が行われる。したがって、カセット２００内に入れた預金通帳などの重要物は、施錠機構により厳重に保管されることとなる。
【００４１】
［重要物預かり機１００］
図４に示すように、重要物預かり機１００は、銀行などに配設されるＡＴＭとほぼ同様のコンソール型の外観を有し、重要物預かり機１００を構成する本体部１１０（筐体）の前面には、カセット２００の受け入れおよび排出を行うカセット受渡口１２０と、顧客に対するガイダンスの表示およびカセット番号の入力を受け付ける表示操作部１３０（タッチパネル式）と、顧客の生体情報に基づく認証処理を行う生体情報認証部１４０とが、それぞれ配設されている。ここで、表示操作部１３０は、後述する各種ガイダンス表示や操作ボタンの選択操作を受け付けるタッチパネル式の液晶表示器等のデバイスで形成される。
【００４２】
また、図４に示すように、本体部１１０の内部には、カセット２００を収納するためのカセット収納部３００が設けられている。図４には図示していないが、例えば、重要物預かり機１００は、Ｚ方向に４０個に区分けされて重畳され、Ｘ方向に左右２列で配置され、Ｙ方向に５列で配置され、合計４００個のカセットを収納するカセット収納部３００を配設する。
【００４３】
また、図４に示すように、重要物預かり機１００は、銀行内部に配設されたサーバ装置などの管理装置１６０と接続されている。管理装置１６０は、（１）顧客が新たにカセット２００を購入契約する際に、重要物預かり機１００を遠隔操作し、カセット番号、顧客の生体情報（静脈情報）および顧客情報を顧客情報登録テーブル３５１に追加登録させ、また、カセット番号とカセット収納部３００の位置との対応付けをカセット収納テーブル３５２に追加登録させ、さらに、カセット番号と内容物情報（カセット番号によって識別されるカセットに内在する重要物が何であるかを示す情報）との対応付けをカセット内容物テーブル３５３に追加登録させるなどする。
【００４４】
その他、管理装置１６０は、（２）重要物預かり機１００の記憶部３５０内に記憶した顧客情報登録テーブル３５１、カセット収納テーブル３５２、およびカセット内容物テーブル３５３をバックアップするとともに、（３）重要物預かり機１００からカセット２００の預け入れ状況および払い出し状況（例えば、利用日時や利用回数など）に係るデータを受信して、その一覧表示等を行うなどする。
【００４５】
なお、ここでは、説明の便宜上、詳細な説明を省略したが、重要物預かり機１００には、顧客との取引状況（預け入れ履歴や払い出し履歴）を印字するプリンタ等を設けることができ、また、特に顔を生体情報として用いて顔認証を行う場合には、ＣＣＤ（Charge  Coupled  Device）カメラなどの撮影カメラを設けることができる。
【００４６】
次に、重要物預かり機１００の内部構成についてさらに詳細に説明すると、図５に示すように、重要物預かり機１００は、扉開閉検知センサ１１１と、顧客検知センサ１１２と、表示操作部１３０と、生体情報認証部１４０と、搬送駆動制御部４４４と、記憶部３５０とが、主制御部６００に接続された構成となる。
【００４７】
扉開閉検知センサ１１１は、重要物預かり機１００の本体部１１０の一部をなす扉の開閉を検知するセンサであり、顧客検知センサ１１２は、重要物預かり機１００に接近する顧客（人体）を検知するセンサである。実施例１においては、顧客検知センサ１１２によって顧客が検知された場合に、表示操作部１３０が点灯し、カセット２００の預け入れ操作または払い出し操作を可能としている。
【００４８】
表示操作部１３０は、タッチパネル式の液晶表示器により形成される表示デバイスおよび入力デバイスである。具体的には、表示操作部１３０は、後述するカセット２００の預け入れまたは払い出しを行う際の顧客に対するガイダンス表示を行うとともに、預け入れボタン１３１、払い出しボタン１３２などの選択操作並びにテンキー１３４によるカセット番号の入力操作を受け入れるなどする。なお、表示操作部１３０の一般的な制御等は、主制御部６００に組み込まれた図示しないドライバソフトウェアにより行われる。
【００４９】
搬送駆動制御部４４４は、カセット搬送装置４００の搬送を制御する制御部であり、駆動機構をなすモータ５００が接続されている。生体情報認証部１４０は、カセット２００の払い出し時に顧客から静脈情報（入力生体情報）を取得するとともに、取得した入力静脈情報を顧客情報登録テーブル３５１に記憶された登録済みの静脈情報（登録生体情報）と照合して、当該顧客がカセット２００の正当な持ち主であるか否かを認証する処理部である。
【００５０】
次に、記憶部３５０について説明する。記憶部３５０は、主制御部６００による各種処理に用いるデータを記憶する記憶部であり、図５に示すように、顧客情報登録テーブル３５１と、カセット収納テーブル３５２と、カセット内容物テーブル３５３とを備える。
【００５１】
顧客情報登録テーブル３５１は、重要物預かり機１００を利用する顧客の個人情報や生体情報等と、当該顧客が重要物預かり機１００に預け入れているカセットを識別するカセット番号とを、対応付けて記憶する。具体的には、顧客情報登録テーブル３５１は、顧客の利用契約時に、後述する新規登録部６１０によって登録される顧客の個人情報や生体情報、カセット番号等を記憶し、記憶したこれらの情報は、後述する預け入れ部６２０や払い出し部６３０による処理に利用される。
【００５２】
例えば、顧客情報登録テーブル３５１は、図６に示すように、顧客の『氏名』と、『カセット番号』と、『生体情報』と、『銀行コード』と、『支店コード』と、『利用ログ』とを、対応付けて記憶する。ここで、実施例１において、重要物預かり機１００は、カセットの収納や排出（預け入れや払い出し）に関する履歴情報（例えば、重要物預かり機１００を利用した日付や利用回数など）を記憶しており、顧客情報登録テーブル３５１に記憶されている『利用ログ』が、この履歴情報に該当する。
【００５３】
また、実施例１において、重要物預かり機１００は、同一の顧客について複数のカセットを預かることもある。例えば、図６の例で説明すると、重要物預かり機１００は、顧客『鈴木○○夫』について、カセット番号『０１２４』および『０１２５』の２つのカセットを預かり、顧客『杉山○○雄』について、カセット番号『０１２９』、『０１３０』、『０１３１』、『０１３２』、および『０１３３』の５つのカセットを預かっている。なお、図６の例では、同一の顧客について連続のカセット番号が付与され、顧客情報登録テーブル３５１は顧客の氏名でソートされているが、本発明はこれに限られるものではなく、同一の顧客について不連続のカセット番号が付与されてもよく、また、顧客情報登録テーブル３５１は顧客の氏名でソートされていなくてもよい。
【００５４】
また、図６の例では、『静脈情報Ｂ』や『静脈情報Ｂ´』のように、顧客情報登録テーブル３５１が、わずかに異なる静脈情報（ただし、同一の人物として認証される）を記憶していることを示しているが、これは静脈情報の登録がカセットごとに別々に行われた場合などを想定している例であって、本発明はこれに限られるものではない。例えば、同一の機会に複数のカセットが登録される場合などには、顧客情報登録テーブル３５１は、複数のカセットについて全く同一の静脈情報を記憶するなど、いずれでもよい。
【００５５】
なお、顧客情報登録テーブル３５１は、基本的には、契約した顧客本人の生体情報を記憶するが、代理人等の生体情報を併せて記憶することもできる。この場合には、顧客本人のみならず、その家族等が重要物を取り出すことに対応することも可能になる。
【００５６】
カセット収納テーブル３５２は、カセット番号と、カセット収納部３００のアドレス番号（当該カセット番号によって識別されるカセットが収納されるカセット収納部３００の位置）とを、対応付けて記憶する。具体的には、カセット収納テーブル３５２は、これらの情報を予め設定されることで記憶し、記憶したこれらの情報は、後述する預け入れ部６２０や払い出し部６３０、精査判定部６４０による処理に利用される。
【００５７】
例えば、カセット収納テーブル３５２は、図７に示すように、『カセット番号』と、『アドレス番号』と、『フラグ』とを、対応付けて記憶する。なお、『フラグ』とは、カセット２００が、未使用のカセット２００であるのか、登録済みのカセット２００であるのか、取り出し中のカセット２００であるのか等を識別するための情報である。例えば、未
使用のカセット２００がカセット収納部３００に収納されている場合には、「００」となり、登録済みのカセット２００がカセット収納部３００に収納されている場合には、「０１」となり、登録外のカセット２００がカセット収納部３００に収納されている場合には、「ＦＦ」となり、登録されたカセット２００が行方不明である場合には、「ＦＥ」となる。なお、実施例１においては、カセット収納テーブル３５２が『フラグ』を記憶する例を説明したが、本発明はこれに限られるものではなく、カセット収納テーブル３５２が『フラグ』を記憶しない場合にも、本発明を同様に適用することができる。また、実施例１においては、説明の便宜上省略したが、カセット収納テーブル３５２は、上記以外に、顧客の氏名、登録日時、前回の利用日時、利用回数等を記憶してもよい。
【００５８】
カセット内容物テーブル３５３は、カセット番号と、当該カセット番号によって識別されるカセットに内在する重要物が何であるかを示す内容物情報とを、対応付けて記憶する。具体的には、カセット内容物テーブル３５３は、顧客の利用契約時に、後述する新規登録部６１０によって登録されるカセット番号や内容物情報等を記憶し、記憶したこれらの情報は、後述する預け入れ部６２０や払い出し部６３０による処理に利用される。
【００５９】
例えば、カセット内容物テーブル３５３は、図８に示すように、『カセット番号』と、『内容物情報』とを、対応付けて記憶する。本発明における重要物預かり機１００は、このように、カセット２００に内在する重要物が何であるかを示す内容物情報を記憶している点にまず特徴がある。もっとも、実施例１においては、重要物預かり機１００が、内蔵する記憶部３５０に内容物情報を記憶する手法を説明したが、本発明はこれに限られるものではなく、重要物預かり機１００とは筐体が異なる他のサーバなどに内容物情報を記憶する手法にも、本発明を同様に適用することができる。なお、カセット内容物テーブル３５３は、特許請求の範囲に記載の「内在物品情報記憶手段」に対応する。
【００６０】
続いて、主制御部６００について説明する。主制御部６００は、重要物預かり機１００を全体制御する制御部であり、図５に示すように、新規登録部６１０と、預け入れ部６２０と、払い出し部６３０と、精査判定部６４０とを備える。
【００６１】
新規登録部６１０は、重要物預かり機１００を利用する顧客について、当該顧客の個人情報、生体情報、預け入れるカセットのカセット番号や、当該カセットの内容物情報などを、重要物預かり機１００の利用契約時に登録する処理部である。具体的には、新規登録部６１０は、表示操作部１３０や生体情報認証部１４０、あるいは管理装置１６０などから入力された個人情報、生体情報、カセット番号や、内容物情報などを、顧客情報登録テーブル３５１やカセット内容物テーブル３５３に記憶させる。
【００６２】
また、実施例１における新規登録部６１０は、図５に示すように、内容物情報入力部６１１を備えている。かかる内容物情報入力部６１１は、利用契約時など、重要物預かり機１００にカセットが収納される際に、内容物情報を、所定の出力部（例えば、表示操作部１３０など）に出力される物品を示す情報が選択されることによって、もしくは、物品を示す情報が所定の入力部（例えば、キーボードなど）から入力されることによって、カセット内容物テーブル３５３に記憶させる。なお、内容物情報入力部６１１による処理の具体例については、後に、新規登録部６１０による処理の手順を説明する際に詳述する。また、内容物情報入力部６１１は、特許請求の範囲に記載の「内在物品情報入力手段」に対応する。
【００６３】
預け入れ部６２０は、顧客が重要物預かり機１００に重要物を預け入れる際の処理を行う処理部である。具体的には、預け入れ部６２０は、顧客によってカセット受渡口１２０に挿入されたカセット２００を重要物預かり機１００が受け入れると、リーダライタ４０１によって読み出されることでカセット番号の入力を受け付け、カセット収納テーブル３
５２を参照してカセット番号に対応するカセット収納部３００の位置を特定し、特定したカセット収納部３００の位置までカセット搬送装置４００によってカセット２００を搬送させるなどする。なお、預け入れ部６２０による処理については、後に、預け入れ部６２０による処理の手順を説明する際に詳述する。
【００６４】
払い出し部６３０は、顧客が重要物預かり機１００に預け入れている重要物を払い出す際の処理を行う処理部である。具体的には、払い出し部６３０は、顧客によって入力されたカセット番号や生体情報を受け付けると、顧客を認証し、その後、カセット収納テーブル３５２を参照してカセット番号に対応するカセット収納部３００の位置を特定し、特定したカセット収納部３００の位置に収納されたカセット２００を、カセット受渡口１２０から排出させるなどする。
【００６５】
ところで、本発明における払い出し部６３０は、内容物情報取得部６３１や内容物情報出力部６３２をさらに備え、通常の処理の他に、内容物情報取得部６３１や内容物情報出力部６３２による処理を行う点に特徴がある。具体的には、内容物情報取得部６３１は、顧客が同一である一つまたは複数のカセット２００を特定可能な特定情報の入力を受け付けると、カセット内容物テーブル３５３から、特定情報によって特定される一つまたは複数のカセットを識別するカセット番号各々に対応付けられた内容物情報を取得する。また、内容物情報出力部６３２は、内容物情報取得部６３１によって取得された内容物情報を、当該内容物情報によって示される物品を内在するケースごとに区分けして所定の出力部（表示操作部１３０など）に出力する。
【００６６】
このように、本発明における重要物預かり機１００は、内容物情報取得部６３１によってカセット内容物テーブル３５３から取得された内容物情報を、内容物情報出力部６３２が表示操作部１３０に出力することで、カセット２００に内在する重要物が何であるかを重要物の払い出しを希望する者に認識させることを可能にしている。なお、払い出し部６３０による処理については、後に、払い出し部６３０による処理の手順を説明する際に詳述する。また、内容物情報取得部６３１は、特許請求の範囲に記載の「内在物品情報取得手段」に対応し、内容物情報出力部６３２は、特許請求の範囲に記載の「内在物品情報出力手段」に対応する。
【００６７】
精査判定部６４０は、カセット収納部３００の位置を特定するアドレス番号と対応付けて記憶されたカセット番号と、カセット収納部３００の各位置に収納されたカセット２００のＩＤタグ２３０に保持されているカセット番号とを照合して、両者のカセット番号が一致するか否かを判定する処理部である。例えば、第三者が重要物預かり機１００の扉を開けてカセット収納物３００に収納されていたカセット２００の位置を入れ換えた場合には、このカセット２００を取り出すと、カセット２００が正当な顧客でない他の顧客に払い出されてしまい、重要物預かり機１００としての機能を発揮し得なくなってしまう。このため、実施例１においては、扉開閉検知センサ１１１によって扉が開閉されたことが検知された場合に、精査判定部６４０が、上記判定を行うようにしている。
【００６８】
［実施例１における重要物預かり機による処理の手順］
次に、図９〜１４を用いて、実施例１における重要物預かり機による処理の手順を説明する。図９は、カセット預け入れ時の処理の手順を示すフローチャートであり、図１０は、カセット預け入れ時の表示操作部の画面例を示す図であり、図１１は、カセット払い出し時の処理の手順を示すフローチャートであり、図１２は、カセット払い出し時の表示操作部の画面例を示す図であり、図１３は、利用契約時の処理の手順を示すフローチャートであり、図１４は、内容物情報入力時の表示操作部の画面例を示す図である。
【００６９】
［カセットの預け入れ処理］
まず、カセット２００の預け入れ処理の手順について説明する。図９に示すように、まず、重要物預かり機１００は、顧客検知センサ１１２において、顧客の存在を検知したか否かを判定する（ステップＳ１０１）。顧客の存在を検知していない場合には（ステップＳ１０１否定）、重要物預かり機１００は、顧客検知センサ１１２において、顧客の存在を検知したか否かを判定する処理に戻る。
【００７０】
一方、顧客の存在を検知した場合には（ステップＳ１０１肯定）、次に、重要物預かり機１００は、表示操作部１３０に、預け入れ／払い出し／ユーザ管理設定モード選択画面を表示させる（ステップＳ１０２）。例えば、重要物預かり機１００は、表示操作部１３０に、図１０の（Ａ）に示す選択画面１３５（預け入れボタン１３１、払い出しボタン１３２、およびユーザ管理設定モードボタン１３３を含む）を表示させる。
【００７１】
続いて、重要物預かり機１００は、ユーザ管理設定モードボタン１３３が顧客によって押下操作されたか否か（ステップＳ１０３）、払い出しボタン１３２が顧客によって押下操作されたか否か（ステップＳ１０４）、預け入れボタン１３１が顧客によって押下操作されたか否か（ステップＳ１０５）を、順に判定する。ステップＳ１０３において、ユーザ管理設定モードボタン１３３が顧客によって押下操作されたと判定した場合には（ステップＳ１０３肯定）、重要物預かり機１００は、図１３に示す処理に移行する。ステップＳ１０４において、払い出しボタン１３２が顧客によって押下操作されたと判定した場合には（ステップＳ１０４肯定）、重要物預かり機１００は、図１１に示す処理に移行する。なお、ステップＳ１０５において、預け入れボタン１３１が顧客によって押下操作されていないと判定した場合には（ステップＳ１０５否定）、いずれのボタンも押下操作されていない場合であるので、重要物預かり機１００は、選択画面を表示させる処理に戻る。
【００７２】
ステップＳ１０５において、預け入れボタン１３１が顧客によって押下操作されたと判定した場合には（ステップＳ１０５肯定）、重要物預かり機１００は、ステップＳ１０６以降に示す預け入れ処理に移行する。まず、重要物預かり機１００は、預け入れ部６２０において、カセット２００をカセット受渡口１２０にセットするよう顧客に要求するセット画面を、表示操作部１３０に表示させる（ステップＳ１０６）。例えば、重要物預かり機１００は、預け入れ部６２０において、図１０の（Ｂ）に示すセット画面を表示操作部１３０に表示させる。図１０の（Ｂ）の例では、セット画面において、「カセットをセットしてください。」という文字列と画像とが表示されている。
【００７３】
続いて、重要物預かり機１００は、顧客によってカセット２００がカセット受渡口１２０にセットされると、このカセット２００を受け入れる（ステップＳ１０７）。そして、重要物預かり機１００は、預け入れ部６２０において、リーダライタ４０１に、カセット２００に付設されたＩＤタグ２３０からカセット番号を読み取らせる（ステップＳ１０８）。ここで、例えば、リーダライタ４０１が読み取ったカセット番号は、『０１２３』であったものとする。
【００７４】
すると、重要物預かり機１００は、預け入れ部６２０において、カセット収納テーブル３５２を参照してカセット番号に対応するカセット収納部３００の位置を特定する（ステップＳ１０９）。上記した例で説明すると、リーダライタ４０１が読み取ったカセット番号は『０１２３』であるので、重要物預かり機１００は、預け入れ部６２０において、カセット収納テーブル３５２を参照し、図７に示すように、カセット番号『０１２３』に対応するカセット収納部３００のアドレス番号は『０００Ｘ００１』であることを特定する。
【００７５】
そして、重要物預かり機１００は、預け入れ部６２０において、特定したカセット収納部３００の位置までカセット２００を搬送するように搬送駆動制御部４４４に指示し、カ
セット搬送装置４００によるカセット２００の搬送を開始させる（ステップＳ１１０）。例えば、重要物預かり機１００は、預け入れ部６２０において、カセット収納部３００のアドレス番号『０００Ｘ００１』の位置までカセット２００を搬送するように指示する。
【００７６】
このカセット２００の搬送時には、重要物預かり機１００は、預け入れ部６２０において、収納中画面を表示操作部１３０に表示させる（ステップＳ１１１）。例えば、重要物預かり機１００は、預け入れ部６２０において、図１０の（Ｃ）に示す収納中画面を表示操作部１３０に表示させる。図１０の（Ｃ）の例では、収納中画面において、「収納中です。しばらくお待ちください。」という文字列と、現時点での収納段階を示す画像とを表示している。
【００７７】
そして、重要物預かり機１００は、預け入れ部６２０において、カセット搬送装置４００によるカセット２００の収納を完了したか否かを判定する（ステップＳ１１２）。カセット２００の収納を完了していない場合には（ステップＳ１１２否定）、重要物預かり機１００は、預け入れ部６２０において、収納中画面を表示操作部１３０に表示させる処理に戻る。
【００７８】
一方、カセット２００の収納を完了した場合には（ステップＳ１１２肯定）、重要物預かり機１００は、預け入れ部６２０において、収納完了画面を表示操作部１３０に表示させ（ステップＳ１１３）、処理を終了する。例えば、重要物預かり機１００は、預け入れ部６２０において、図１０の（Ｄ）に示す収納完了画面を表示操作部１３０に表示させる。図１０の（Ｄ）の例では、「画面をお確かめになり確認を押してください。」という文字列と、顧客名や収納日時等を示す文字列とを表示している。
【００７９】
［カセットの払い出し処理］
次に、カセット２００の払い出し処理の手順について説明する。重要物預かり機１００は、図９におけるステップＳ１０４において、払い出しボタン１３２が顧客によって押下操作されたと判定した場合には（ステップＳ１０４肯定）、図１１のステップＳ２０１以降に示す払い出し処理に移行する。
【００８０】
図１１に示すように、まず、重要物預かり機１００は、払い出し部６３０において、カセット番号の入力を要求するカセット番号入力要求画面と、生体情報の入力を要求する生体情報入力画面とを、表示操作部１３０の一画面上に分割して表示する。例えば、重要物預かり機１００は、払い出し部６３０において、図１２の（Ａ）に示すように、カセット番号入力要求画面と生体情報入力画面とを分割して表示する。
【００８１】
図１２の（Ａ）の例では、カセット番号入力要求画面として、表示操作部１３０上に表示したテンキー１３４を用いて４桁のカセット番号（例えば、『０１２９』など）を入力させる例を示している。また、この画面上には、顧客による入力誤りを考慮して入力し直しボタン１３５をも設けている。また、図１２の（Ａ）の例では、生体情報入力画面として、「手を置いてください。」という文字列と対応する画像とを表示している。
【００８２】
ここで、重要物預かり機１００が、払い出し部６３０において、カセット番号入力要求画面と生体情報入力画面とを分割して表示するのは、本発明において、「顧客が同一である一つまたは複数のカセットを特定可能な特定情報」としては、顧客によって入力されるカセット番号も、顧客によって入力される生体情報も、考え得るからである。つまり、カセット番号が入力されれば、一つのカセットが特定されることはもちろんのこと、重要物預かり機１００は、顧客情報登録テーブル３５１を探索するなどして、当該カセット番号によって識別されるカセットと顧客が同一である複数のカセットを特定する。同様に、生体情報が入力されれば、重要物預かり機１００は、顧客情報登録テーブル３５１を探索す
るなどして、当該生体情報によって特定される顧客によって預け入れられている複数のカセットを特定する。もっとも、実施例１においては、特定情報としてカセット番号および生体情報のいずれも利用可能な手法を説明するが、本発明はこれに限られるものではなく、予め定められたいずれか一方を特定情報として利用する手法など、いずれでもよい。この場合には、重要物預かり機１００が表示する画面も、いずれか一方のみでよいことになる。なお、以下では、特定情報として、カセット番号が入力されることを想定して説明する。
【００８３】
続いて、重要物預かり機１００は、払い出し部６３０において、カセット番号の入力を受け付けたか否かを判定する（ステップＳ２０２）。カセット番号の入力を受け付けていない場合には（ステップＳ２０２否定）、重要物預かり機１００は、払い出し部６３０において、生体情報の入力を受け付けたか否かを判定し（ステップＳ２０７）、生体情報の入力も受け付けていないと判定した場合には（ステップＳ２０７否定）、カセット番号入力要求画面と生体情報入力画面とを表示する処理に戻る。なお、ステップＳ２０７において、生体情報の入力を受け付けた場合とは、すなわち、特定情報として、生体情報が入力されたものである。
【００８４】
ステップＳ２０２において、カセット番号の入力を受け付けたと判定した場合には（ステップＳ２０２肯定）、重要物預かり機１００は、払い出し部６３０において、入力されたカセット番号が適正なものであるか否かを判定する（ステップＳ２０３）。ここで、カセット番号が適正なものであるか否かは、入力されたカセット番号が、カセット収納テーブル３５２に登録されているか否かによって判定することになる。適正なものではないと判定された場合には（ステップＳ２０３否定）、重要物預かり機１００は、払い出し部６３０において、カセット番号の再入力を指示する再入力指示画面を表示して（ステップＳ２０４）、カセット番号の入力を受け付けたか否かを判定する処理に戻る。
【００８５】
一方、カセット番号が適正なものであると判定された場合には（ステップＳ２０３肯定）、重要物預かり機１００は、払い出し部６３０において、生体情報入力画面を表示操作部１３０に表示する。すなわち、この場合は、特定情報として、カセット番号が入力されたものであることから、重要物預かり機１００は、次に、顧客の正当性を認証することを目的として、生体情報入力画面を表示する（ステップＳ２０５）。
【００８６】
続いて、重要物預かり機１００は、払い出し部６３０において、生体情報の入力を受け付けたか否かを判定する（ステップＳ２０６）。生体情報の入力を受け付けていない場合には（ステップＳ２０６否定）、重要物預かり機１００は、払い出し部６３０において、生体情報入力画面を表示する処理に戻る。
【００８７】
一方、生体情報の入力を受け付けた場合には（ステップＳ２０６肯定）、重要物預かり機１００は、払い出し部６３０において、次に、カセット番号に対応する登録生体情報を顧客情報登録テーブル３５１から読み出し（ステップＳ２０８）、読み出した登録生体情報と顧客から取得した入力生体情報とを照合して、生体情報認証処理を行う（ステップＳ２０９）。
【００８８】
重要物預かり機１００は、払い出し部６３０において、生体情報認証処理の結果から、顧客が適正であるか否かを判定する（ステップＳ２１０）。顧客が適正でないと判定された場合には（ステップＳ２１０否定）、重要物預かり機１００は、払い出し部６３０において、エラー表示を行って（ステップＳ２１９）、処理を終了する。
【００８９】
一方、顧客が適正であると判定された場合（ステップＳ２１０肯定）、本発明における重要物預かり機１００は、内容物情報取得部６３１において、顧客が複数のカセットを預
け入れているか否かを判定する（ステップＳ２１１）。具体的には、重要物預かり機１００は、内容物情報取得部６３１において、顧客情報登録テーブル３５１を探索するなどして、当該顧客が複数のカセットを預け入れているか否かを判定する。
【００９０】
ここで、顧客が複数のカセットを預け入れている場合（ステップＳ２１１肯定）、本発明における重要物預かり機１００は、内容物情報取得部６３１において、カセット内容物テーブル３５３から、入力されたカセット番号（特定情報）によって特定される複数のカセットを識別するカセット番号各々に対応付けられた内容物情報を取得する。例えば、重要物預かり機１００は、内容物情報取得部６３１において、顧客情報登録テーブル３５１を探索するなどして、図６に示すように、入力されたカセット番号『０１２９』によって識別されるカセットと顧客（『杉山○○雄』）が同一である複数のカセットのカセット番号『０１３０』、『０１３１』、『０１３２』、および『０１３３』を特定する。また、重要物預かり機１００は、内容物情報取得部６３１において、図８に示すように、カセット内容物テーブル３５３から、カセット番号『０１２９』、『０１３０』、『０１３１』、『０１３２』、および『０１３３』各々に対応付けられた内容物情報として、『現金』、『指輪』、『○○銀行通帳』、『写真』、および『妻専用カセット』を取得する。
【００９１】
続いて、本発明における重要物預かり機１００は、内容物情報出力部６３２において、取得された内容物情報を、当該内容物情報によって示される重要物を内在するカセットごとに区分けして、所定の出力部に出力する。例えば、重要物預かり機１００は、内容物情報出力部６３２において、図１２の（Ｂ）に示すように、内容物情報『現金』、『指輪』、『○○銀行通帳』、『写真』、および『妻専用カセット』を、カセットごとに区分けして、表示操作部１３０に出力する。
【００９２】
なお、実施例１においては、重要物預かり機１００は、カセットの収納や排出（預け入れや払い出し）に関する履歴情報を顧客情報登録テーブル３５１に記憶し、内容物情報出力部６３２が、この履歴情報も出力することから、図１２の（Ｂ）に示すように、内容物情報の横にカセットごとの取引履歴も出力されているが、本発明はこれに限られるものではなく、必ずしも取引履歴については記憶したり出力しない場合にも、本発明を同様に適用することができる。
【００９３】
このように、本発明における重要物預かり機１００は、入力されたカセット番号や生体情報によって特定されるカセット２００の内容物情報を、カセット内容物テーブル３５３から取得し、取得したカセット２００の内容物情報を表示操作部１３０に出力する点に、主たる特徴がある。
【００９４】
ところで、続いて、重要物預かり機１００は、払い出し部６３０において、カセットの選択を受け付けたか否かを判定する（ステップＳ２１８）。すなわち、重要物の払い出しを希望する顧客は、表示操作部１３０に出力された内容物情報によって、カセット２００に内在する物品が何であるかをカセットごとに認識することが可能になるので、払い出しを希望する重要物が内在するカセットのカセット番号をタッチすることなどで、カセットを選択するなどする。重要物預かり機１００は、払い出し部６３０において、カセットの選択を受け付けていないと判定した場合には（ステップＳ２１８否定）、重要物預かり機１００は、払い出し部６３０において、内容物情報を表示操作部１３０に出力する処理に戻る。
【００９５】
一方、重要物預かり機１００は、払い出し部６３０において、例えば、表示操作部１３０の所定のカセット番号がタッチされることなどによって、カセットの選択を受け付けたと判定した場合には（ステップＳ２１８肯定）、通常の処理と同様に、カセット収納テーブル３５２を参照して、カセット番号からカセット収納部３００の位置を特定する（ステ
ップＳ２１２）。例えば、選択されたカセット番号が『０１３３』であれば、重要物預かり機１００は、払い出し部６３０において、カセット収納テーブル３５２を参照し、図７に示すように、カセット番号『０１３３』に対応するカセット収納部３００のアドレス番号は『０００Ｘ０１１』であることを特定する。
【００９６】
そして、重要物預かり機１００は、払い出し部６３０において、特定したカセット収納部３００の位置からカセット２００を搬送するように搬送駆動制御部４４４に指示し、カセット搬送装置４００によるカセット２００の搬送を開始させる（ステップＳ２１３）。例えば、重要物預かり機１００は、払い出し部６３０において、カセット収納部３００のアドレス番号『０００Ｘ０１１』の位置からカセット２００を搬送するように指示する。
【００９７】
このカセット２００の搬送時には、重要物預かり機１００は、払い出し部６３０において、払出中画面を表示操作部１３０に表示させる（ステップＳ２１４）。例えば、重要物預かり機１００は、払い出し部６３０において、図１２の（Ｃ）に示す払出中画面を表示操作部１３０に表示させる。図１２の（Ｃ）の例では、払出中画面において、「払出中です。しばらくお待ちください。」という文字列と、現時点での払出段階を示す画像とを表示している。
【００９８】
そして、重要物預かり機１００は、払い出し部６３０において、カセット搬送装置４００によるカセット２００の払い出しを完了したか否かを判定する（ステップＳ２１５）。カセット２００の払い出しを完了していない場合には（ステップＳ２１５否定）、重要物預かり機１００は、払い出し部６３０において、払出中画面を表示操作部１３０に表示させる処理に戻る。
【００９９】
一方、カセット２００の払い出しを完了した場合には（ステップＳ２１５肯定）、重要物預かり機１００は、払い出し部６３０において、受取指示画面を表示操作部１３０に表示させ（ステップＳ２１６）、処理を終了する。例えば、重要物預かり機１００は、払い出し部６３０において、図１２の（Ｄ）に示す受取指示画面を表示操作部１３０に表示させる。図１２の（Ｄ）の例では、「カセットをお受け取りください。」という文字列とその画像を表示している。
【０１００】
なお、ステップＳ２１１において、顧客が複数のカセットを預け入れていない場合（ステップＳ２１１否定）、実施例１における重要物預かり機１００は、ステップ２１２以降、通常の処理と同様の処理を行う。
【０１０１】
また、上記したように、実施例１における内容物情報取得部６３１は、顧客が同一であるカセットが複数であることを条件として（ステップＳ２１１を参照）、内容物情報を取得し、内容物情報出力部６３２は、顧客が同一であるカセットが複数であることを条件として（ステップＳ２１１を参照）、複数の内容物情報を、カセットごとに区分けしたリストにして表示操作部１３０に出力する手法であるが、本発明はこれに限られるものではない。顧客が同一であるカセットがひとつであるか複数であるかに係らず、内容物情報取得部６３１が内容物情報を取得し、内容物情報出力部６３２が内容物情報を出力する手法にも、本発明を同様に適用することができる。また、実施例１においては、内容物情報をカセットごとに区分けしたリストにして出力する手法を説明したが、本発明はこれに限られるものではなく、例えば、最初は、カセット番号のみのリストを出力し、カセット番号の選択を受け付けると、当該カセット番号で識別されるカセットの内容物情報を出力する手法などにも、本発明を同様に適用することができる。
【０１０２】
［利用契約時の処理］
続いて、利用契約時の処理の手順について説明する。図１３に示すように、重要物預か
り機１００は、図９におけるステップＳ１０３において、ユーザ管理設定モードボタン１３３が顧客によって押下操作されたと判定した場合には（ステップＳ１０３肯定）、図１３のステップＳ３０１以降に示す処理に移行する。
【０１０３】
図１３に示すように、まず、重要物預かり機１００は、新規登録を選択させる新規登録選択画面を表示操作部１３０に表示し（ステップＳ３０１）、新規登録ボタンが顧客によって押下操作されたか否かを判定する（ステップＳ３０２）。新規登録ボタンが顧客によって押下操作されていないと判定した場合には（ステップＳ３０２否定）、重要物預かり機１００は、新規登録選択画面を表示操作部１３０に表示する処理に戻る。
【０１０４】
一方、新規登録ボタンが顧客によって押下操作されたと判定した場合には（ステップＳ３０２肯定）、重要物預かり機１００は、次に、顧客情報を登録させる顧客情報登録画面を表示操作部１３０に表示し（ステップＳ３０３）、顧客情報の入力を受け付けたか否かを判定する（ステップＳ３０４）。なお、顧客情報は、表示操作部１３０に表示されたキーボードから顧客によって入力されることによって受け付けたり、管理装置１６０において係員によって入力されることによって受け付けるなど、いずれでもよい。顧客情報の入力を受け付けていないと判定した場合には（ステップＳ３０４否定）、重要物預かり機１００は、顧客情報登録画面を表示操作部１３０に表示する処理に戻る。
【０１０５】
一方、顧客情報の入力を受け付けたと判定した場合には（ステップＳ３０４肯定）、重要物預かり機１００は、次に、生体情報を入力させる生体情報入力画面を表示操作部１３０に表示し（ステップＳ３０５）、生体情報の入力を受け付けたか否かを判定する（ステップＳ３０６）。生体情報の入力を受け付けていないと判定した場合には（ステップＳ３０６否定）、重要物預かり機１００は、生体情報入力画面を表示操作部１３０に表示する処理に戻る。
【０１０６】
一方、生体情報の入力を受け付けたと判定した場合には（ステップＳ３０６肯定）、重要物預かり機１００は、次に、カセット番号を選択させるカセット番号選択画面を表示操作部１３０に表示し（ステップＳ３０７）、カセット番号の選択を受け付けたか否かを判定する（ステップＳ３０８）。カセット番号の選択を受け付けていないと判定した場合には（ステップＳ３０８否定）、重要物預かり機１００は、カセット番号選択画面を表示操作部１３０に表示する処理に戻る。
【０１０７】
一方、カセット番号の選択を受け付けたと判定した場合には（ステップＳ３０８肯定）、重要物預かり機１００は、次に、カセットの内容物情報を登録させるカセット内容物情報登録画面を表示操作部１３０に表示する（ステップＳ３０９）。ここで、重要物預かり機１００は、内容物情報入力部６１１において、内容物情報を、所定の出力部に出力される物品を示す情報が選択されることによって、もしくは、物品を示す情報が所定の入力部によって入力されることによって、カセット内容物テーブル３５３に記憶させる。
【０１０８】
例えば、重要物預かり機１００は、図１４に示すカセット内容物情報登録画面を表示操作部１３０に表示させる。図１４の例では、カセット内容物情報登録画面として、表示操作部１３０上に表示したアイコン（『通帳』、『印鑑』、『パスポート』、『保険証』など）が選択されることによって、内容物情報をカセット内容物テーブル３５３に記憶させたり、『＊＊＊』のアイコンが選択された場合には、表示操作部１３０上にキーボードが出力され、このキーボードを入力部として物品を示す情報が入力されることによって、内容物情報をカセット内容物テーブル３５３に記憶させるなどする画面が表示されている。
【０１０９】
そして、重要物預かり機１００は、内容物情報入力部６１１において、カセット２００の内容物情報の入力を受け付けたか否かを判定する（ステップＳ３１０）。内容物情報の
入力を受け付けていないと判定した場合には（ステップＳ３１０否定）、重要物預かり機１００は、内容物情報入力部６１１において、カセット内容物情報登録画面を表示操作部１３０に表示させる処理に戻る。
【０１１０】
一方、内容物情報の入力を受け付けたと判定した場合には（ステップＳ３１０肯定）、重要物預かり機１００は、ステップＳ３１１以降、預け入れ処理と同様の処理に移行する。以下、簡単に説明すると、重要物預かり機１００は、カセット２００をカセット受渡口１２０にセットするように顧客に要求するセット画面を、表示操作部１３０に表示させ（ステップＳ３１１）、顧客によってカセット２００がカセット受渡口１２０にセットされると、このカセット２００を受け入れ（ステップＳ３１２）、リーダーライタ４１０にカセット２００に付設されたＩＤタグ２３０からカセット番号を読み取らせ（ステップＳ３１３）、カセット収納テーブル３５２を参照してカセット番号に対応するカセット収納部３００の位置を特定し（ステップＳ３１４）、特定したカセット収納部３００の位置までカセット２００を搬送するように搬送駆動制御部４４４に指示し、カセット搬送装置４００によるカセット２００の搬送を開始させ（ステップＳ３１５）、収納中画面を表示操作部１３０に表示させ（ステップＳ３１６）、カセット搬送装置４００によるカセット２００の収納を完了したか否かを判定し（ステップＳ３１７）、収納完了画面を表示操作部１３０に表示させ（ステップＳ３１８）、処理を終了する。
【０１１１】
［実施例１の効果］
上記してきたように、実施例１によれば、利用者の物品を内在したケースを収納し、当該ケース各々を識別可能な識別情報の入力を受け付けると、当該識別情報によって識別されるケースを排出するケース収納装置であって、識別情報と当該識別情報によって識別されるケースに内在する物品が何であるかを示す内在物品情報とを対応付けて記憶し、利用者が同一である一つまたは複数のケースを特定可能な特定情報の入力を受け付けると、特定情報によって特定される一つまたは複数のケースを識別する識別情報各々に対応付けられた内在物品情報を記憶部から取得し、取得した内在物品情報を、内在物品情報によって示される物品を内在するケースごとに区分けして所定の出力部に出力するので、ケースに内在する物品が何であるかを物品の払い出しを希望する者に認識させることが可能になる。
【０１１２】
したがって、例えば、ケース収納装置が重要物預かり機であるとして、顧客は、重要物預かり機に預けた重要物を記憶するなりメモするなりしておく必要がない。仮に、顧客が、顧客の重要物を複数のカセットに預けた場合であっても、顧客は、払い出しを希望する重要物がいずれのカセットに内在するかを認識することができる。そうであるとすると、顧客は、複数のカセット全てを重要物預かり機に排出させ、各々のカセットに内在する重要物を確認し、払い出しを希望する重要物が内在しているカセット以外のカセットについては、再度、重要物預かり機に預けるなどする必要もない。
【０１１３】
また、重要物預かり機などでは、本人のみが、カセットを預け入れたり払い出したりするにとどまらず、代理人も、カセットを預け入れたり払い出したりすることができるように運用されることがある。本発明によって、カセットに内在する重要物が何であるかを重要物の払い出しを希望する者（本人や代理人など）に認識させることが可能になれば、このような運用にも適切に対応できる。
【０１１４】
また、実施例１によれば、利用者が同一であるケースが複数であることを条件として、内在物品情報を取得し、利用者が同一であるケースが複数であることを条件として、複数の内在物品情報を、内在物品情報によって示される物品を内在するケースごとに区分けしたリストにして所定の出力部に出力するので、上記の効果に加え、利用者が一つのケースのみをケース収納装置に収納させている場合には、ケースの内在物品情報を出力すること
なく直ちにケースを排出するなど、利用者の契約形態等に応じた個別対応をすることも可能になる。
【０１１５】
また、実施例１によれば、ケースが収納される際に、ケースに内在された利用者の物品が何であるかを示す内在物品情報を、所定の出力部に出力される物品を示す情報が選択されることによって、もしくは、物品を示す情報が所定の入力部から入力されることによって、内在物品情報をケース収納装置に記憶させるので、上記の効果に加え、ケース収納装置の利用契約時やケースの預け入れ時などに、利用者によって内容物情報を登録させることも可能になる。
【０１１６】
また、実施例１によれば、ケースの収納や排出に関する履歴情報を記憶し、記憶部に記憶した履歴情報をさらに出力するので、上記の効果に加え、利用者は、利用者とケース収納装置との間の取引に関する履歴情報を確認することも可能になる。
【実施例２】
【０１１７】
ところで、これまで実施例１では、カセットの内容物情報は、利用契約時に重要物預かり機に登録され（図１３を参照）、カセットの預け入れ時には内容物情報の登録を特に行わない（図９を参照）手法を説明してきた。しかしながら、カセットが一旦顧客に払い出され、再び預け入れられるとなると、その間に、カセットの内容物が入れ換えられる可能性がある。そうであるとすると、カセットの預け入れ時にも、内容物情報の登録（言い換えると、内容物情報の変更）を行うことが望ましい。そこで、以下では、実施例２として、カセットの預け入れ時に内容物情報の変更を行う手法について説明する。
【０１１８】
なお、カセットの預け入れ時に内容物情報の変更を行う手法として、以下では、２通りの手法における処理の手順を説明する。図１５および図１６は、実施例２におけるカセット預け入れ時の処理の手順を示すフローチャートである。図１５に示す手法では、カセットの預け入れ時に、必ず、カセットの内容物情報を変更するか否かを確認するカセット内容物情報変更画面を表示するのに対して、図１６に示す手法では、カセットの預け入れ時に、重要物預かり機が、カセットの内容物に変化があったか否かを判定し、変化があったことが判定された場合にのみ、カセット内容物情報変更画面を表示する。
【０１１９】
なお、いずれの手法についても、図９で説明した預け入れ処理と異なる点についてのみ、特に説明するものとする。
【０１２０】
［カセットの預け入れ処理（図１５の手法）］
実施例２（図１５）におけるステップＳ４０１〜Ｓ４０８は、実施例１（図９）におけるステップＳ１０１〜Ｓ１０８と同様の処理を行う。実施例１においては、重要物預かり機１００が、預け入れ部６２０において、リーダライタ４０１に、カセット２００に付設されたＩＤタグ２３０からカセット番号を読み取らせた後（ステップＳ１０８）、カセット収納テーブル３５２０を参照してカセット番号に対応するカセット収納部３００の位置を特定した（ステップＳ１０９）。
【０１２１】
これに対して、実施例２においては、重要物預かり機１００が、預け入れ部６２０において、リーダライタ４０１に、カセット２００に付設されたＩＤタグ２３０からカセット番号を読み取らせた後（ステップＳ４０８）、カセットの内容物情報を変更するか否かを確認するカセット内容物情報変更画面を、表示操作部１３０に表示する（ステップＳ４０９）。カセット内容物情報変更画面については、特に図示していないが、例えば、「カセットの内容物に変更はありますか？」といった問いに対する答えを、『はい』または『いいえ』のアイコンを選択させることによって入力させる画面などを想定することができる。
【０１２２】
そして、重要物預かり機１００は、預け入れ部６２０において、例えば、上記したカセット内容物情報変更画面の例で説明すると、『はい』のアイコンが選択された場合には、重要物預かり機１００は、預け入れ部６２０において、カセット内容物情報登録画面（例えば、図１４に示す画面など）を表示操作部１３０に表示させ、カセット内容物情報の変更を受け付けるなどする。
【０１２３】
すると、次に、重要物預かり機１００は、預け入れ部６２０において、カセット内容物情報の変更を受け付けたか否かを判定する（ステップＳ４１０）。カセット内容物情報の変更を受け付けていないと判定した場合には（ステップＳ４１０否定）、重要物預かり機１００は、預け入れ部６２０において、変更がないことを受け付けたか否かを判定し（ステップＳ４１１）、これも受け付けていない場合には（ステップＳ４１１否定）、重要物預かり機１００は、預け入れ部６２０において、カセット内容物情報変更画面を表示操作部１３０に表示する処理に戻る。
【０１２４】
一方、カセット内容物情報登録画面でカセット内容物情報の変更を受け付けた場合や（ステップＳ４１０肯定）、変更がないことを受け付けた場合には（ステップＳ４１１肯定）、重要物預かり機１００は、ステップＳ４１２以降、預け入れ処理と同様の処理に移行する。
【０１２５】
［カセットの預け入れ処理（図１６の手法）］
実施例２（図１６）におけるステップＳ５０１〜５０８は、実施例２（図１５）におけるステップＳ４０１〜Ｓ４０８と同様の処理を行う。実施例２（図１５）においては、重要物預かり機１００が、預け入れ部６２０において、リーダライタ４０１に、カセット２００に付設されたＩＤタグ２３０からカセット番号を読み取らせた後（ステップＳ４０８）、カセットの内容物情報を変更するか否かを確認するカセット内容物情報変更画面を、必ず、表示操作部１３０に表示した（ステップＳ４０９）。
【０１２６】
これに対して、実施例２（図１６）においては、重要物預かり機１００が、預け入れ部６２０において、リーダライタ４０１に、カセット２００に付設されたＩＤタグ２３０からカセット番号を読み取らせた後（ステップＳ５０８）、重要物預かり機１００は、カセットの預け入れ時に、カセットの内容物に変化があったか否かを判定し（ステップＳ５０９およびＳ５１０）、変化があったことが判定された場合にのみ、カセット内容物情報変更画面を表示する（ステップＳ５１１）。
【０１２７】
ここで、図１６の手法による実施例２における重要物預かり機１００は、記憶部３５０に、重量画像データテーブル３５４を備える。重量画像データテーブル３５４は、カセット内容物テーブル３５３に内容物情報が記憶されているカセットの現状に関するデータとして、ケースに内在されている重要物の重量データ、もしくは、重要物の画像データを記憶するものである。なお、重量画像データテーブル３５４は、特許請求の範囲に記載の「重量画像データ記憶手段」に対応する。
【０１２８】
また、図１６の手法による実施例２における重要物預かり機１００は、主制御部６００の預け入れ部６２０として、判定部６２１と、再登録情報出力部６２２とを備える。判定部６２１は、カセット２００が重要物預かり機１００から払い出された後に再び預け入れられる際に、カセット２００に現に内在されている重要物の重量データ、もしくは、重要物の画像データを取得し、重量画像データテーブル３５４によって記憶されている重量データと取得された重量データとを比較することによって、もしくは、重量画像データテーブル３５４によって記憶されている画像データと取得された画像データとを比較することによって、カセット２００に内在されている重要物に変化があったか否かを判定する。ま
た、再登録情報出力部６２２は、判定部６２１によってカセット２００に内在されている重要物に変化があったことが判定された場合に、カセット２００に内在されている顧客の重要物が何であるかを示す内容物情報を、カセット内容物テーブル３５３に改めて記憶させることを促す情報（カセット内容物情報変更画面）を表示操作部１３０に出力する。なお、判定部６２１は、特許請求の範囲に記載の「判定手段」に対応し、再登録情報出力部６２２は、特許請求の範囲に記載の「再登録情報出力手段」に対応する。
【０１２９】
つまり、ステップＳ５０９およびステップＳ５１０で、重要物預かり機１００は、判定部６２１において、カセット２００が重要物預かり機１００から払い出された後に再び預け入れられる際に、カセット２００に現に内在されている重要物の重量データ、もしくは、重要物の画像データを取得し、重量画像データテーブル３５４によって記憶されている重量データと取得された重量データとを比較することによって、もしくは、重量画像データテーブル３５４によって記憶されている画像データと取得された画像データとを比較することによって、カセット２００に内在されている重要物に変化があったか否かを判定する。
【０１３０】
例えば、重要物預かり機１００は、判定部６２１において、重量画像データテーブル３５４によって記憶されている重量データに対して、取得された重量データが軽くなっていたり重くなっているなど、変化があった場合には、カセット２００に内在されている重要物に変化があったと判定するなどする。また、例えば、重要物預かり機１００は、判定部６２１において、重量画像データテーブル３５４によって記憶されている画像データを解析することで、カセット２００に内在されている重要物は『印鑑』であると判定したのに対し、取得された画像データを解析することで、カセット２００に内在されている重要物は『現金』であると判定し、両者の判定結果を比較することによって、カセット２００に内在されている重要物に変化があったと判定するなどする。あるいは、その他の画像データの解析手法によって判定してもよい。
【０１３１】
そして、カセット２００に内在されている重要物に変化があったと判定した場合には、重要物預かり機１００は、再登録情報出力部６２２において、カセット内容物情報変更画面を、表示操作部１３０に出力する（ステップＳ５１１）。
【０１３２】
［実施例２の効果］
上記してきたように、実施例２によれば、ケース収納装置に内在物品情報が記憶されているケースの現状に関するデータとして、当該ケースに内在されている物品の重量データ、もしくは、当該物品の画像データを記憶し、ケースが排出された後に再び収納される際に、当該ケースに現に内在されている物品の重量データ、もしくは、当該物品の画像データを取得し、記憶部に記憶している重量データと取得した当該重量データとを比較することによって、もしくは、記憶部に記憶している画像データと取得した当該画像データとを比較することによって、当該ケースに内在されている物品に変化があったか否かを判定し、ケースに内在されている物品に変化があったことを判定した場合に、当該ケースに内在されている利用者の物品が何であるかを示す内在物品情報を、記憶部に改めて記憶させることを促す情報を所定の出力部に出力するので、上記の効果に加え、内在されている物品の重量データや画像データを解析することによって、内在されている物品の同一性（払い出し前と払い出し後との同一性）を判定し、この判定結果に基づいて、内在物品情報を利用者に（再）登録させることも可能になる。
【実施例３】
【０１３３】
ところで、これまで実施例１や実施例２では、カセットの内容物情報は、重要物預かり機のカセット内容物テーブルに記憶され、顧客は、重要物預かり機においてカセットの払い出しをする際に、表示操作部に出力された内容物情報を閲覧することで、カセットの内
容物情報を認識する手法について説明してきた。しかしながら、例えば、顧客が、重要物を複数の銀行に預けている場合などには、顧客は、わざわざ複数の銀行に出向いて重要物預かり機を操作した上でカセットの内容物情報を閲覧しなければならず、手間がかかるといえる。そこで、以下では、実施例３として、インターネット経由で内容物情報を閲覧させる手法について説明する。
【０１３４】
図１７は、実施例３における重要物預かり機のネットワーク構成を示す図である。図１７に示すように、実施例３において、顧客のパーソナル・コンピュータ（ＰＣ）や携帯電話は、インターネットに接続可能である。また、図１７に示すように、実施例３において、カセット内容物情報公開Ｗｅｂサーバやカセット内容物情報メールサーバが、ＤＭＺ（DeMilitarized  Zone：非武装地帯）に設置されている。
【０１３５】
これらのカセット内容物情報公開Ｗｅｂサーバやカセット内容物情報メールサーバは、内部ネットワークに接続している重要物預かり機１００とも、内部ネットワーク（およびファイアウォール）を介して通信可能に接続され、また、顧客のＰＣや携帯電話とも、インターネット（およびファイアウォール）を介して通信可能に接続されている。
【０１３６】
また、カセット内容物情報公開Ｗｅｂサーバやカセット内容物情報メールサーバは、カセット番号と内容物情報とを重要物預かり機１００から取得して対応付けて記憶する内容物情報テーブル（特許請求の範囲に記載の「内在物品情報記憶手段」に対応する）を備える。また、カセット内容物情報公開Ｗｅｂサーバやカセット内容物情報メールサーバは、顧客が同一である一つまたは複数のカセットを特定可能な特定情報を、顧客のＰＣや携帯電話から受信すると、内容物情報テーブルから、特定情報によって特定される一つまたは複数のカセットを識別するカセット番号各々に対応付けられた内容物情報を取得する内容物情報取得部（特許請求の範囲に記載の「内在物品情報取得手段」に対応する）を備える。また、カセット内容物情報公開Ｗｅｂサーバやカセット内容物情報メールサーバは、内容物情報取得部によって取得された内容物情報を、内容物情報によって示される重要物を内在するカセットごとに区分けして、顧客のＰＣや携帯電話に送信する内容物情報送信部（特許請求の範囲に記載の「内在物品情報送信手段」に対応する）を備える。以下では、図１８を用いて、カセット内容物情報公開Ｗｅｂサーバの処理の手順について、一例を説明する。
【０１３７】
このような構成のもと、カセット内容物情報公開Ｗｅｂサーバは、まず、カセットの内容物情報の確認を要求するカセット内容物確認要求を、顧客のＰＣや携帯電話から受け付けたか否かを判定する（ステップＳ６０１）。
【０１３８】
カセット内容物確認要求を受け付けたと判定した場合には（ステップＳ６０１肯定）、カセット内容物情報公開Ｗｅｂサーバは、顧客のＰＣや携帯電話に対して、顧客ＩＤやパスワードを入力させる入力画面を送信する（ステップＳ６０２）。
【０１３９】
そして、カセット内容物情報公開Ｗｅｂサーバは、顧客ＩＤやパスワードの入力を受け付けたか否かを判定し（ステップＳ６０３）、受け付けた場合には（ステップＳ６０３肯定）、顧客ＩＤやパスワードの認証処理を行う（ステップＳ６０４）。
【０１４０】
続いて、カセット内容物情報公開Ｗｅｂサーバは、認証処理の結果、顧客が適正か否かを判定し（ステップＳ６０５）、適正でなければ（ステップＳ６０５否定）、エラー情報を送信して顧客のＰＣや携帯電話にエラー表示させる（ステップＳ６０７）。
【０１４１】
一方、適正であれば（ステップＳ６０５肯定）、カセット内容物情報公開Ｗｅｂサーバは、内容物情報テーブルから、特定情報によって特定される一つまたは複数のカセットを
識別するカセット番号各々に対応付けられた内容物情報を取得し、取得した内容物情報を、内容物情報によって示される重要物を内在するカセットごとに区分けして、顧客のＰＣや携帯電話に送信して、顧客のＰＣや携帯電話に表示させる（ステップＳ６０６）。なお、ここでは、顧客から送信されてきたＩＤを特定情報とする事例を説明したが、特定情報として、別途カセット番号を顧客から送信させるなど、いずれでもよい。
【０１４２】
［実施例３の効果］
上記してきたように、実施例３によれば、利用者の物品を内在したケースを収納して当該ケース各々を識別可能な識別情報の入力を受け付けると当該識別情報によって識別されるケースを排出するケース収納装置、および、当該ケース収納装置を使用する使用者の端末の各々と、ネットワークを介して通信可能に接続されたサーバであって、識別情報と当該識別情報によって識別されるケースに内在する物品が何であるかを示す内在物品情報とをケース収納装置から取得して対応付けて記憶し、利用者が同一である一つまたは複数のケースを特定可能な特定情報を端末から受信すると、特定情報によって特定される一つまたは複数のケースを識別する識別情報各々に対応付けられた内在物品情報を記憶部から取得し、取得した内在物品情報を、内在物品情報によって示される物品を内在するケースごとに区分けして、端末に送信するので、上記の効果に加え、利用者は、内在物品情報を、インターネットを介したＷｅｂ通信やメール通信などで確認することも可能になる。
【０１４３】
したがって、例えば、ケース収納装置が重要物預かり機であるとして、顧客が、複数の銀行に重要物を預けている場合であっても、顧客は銀行に出向かずにカセットの内容物情報を確認することができることから、顧客におけるメリットが高くなる。
【実施例４】
【０１４４】
［他の実施例］
さて、これまで本発明の実施例について説明したが、本発明は上述した実施例以外にも、種々の異なる形態にて実施されてよいものである。
【０１４５】
［システム構成等］
また、本実施例において説明した各処理のうち、自動的におこなわれるものとして説明した処理の全部または一部を手動的におこなうこともでき（例えば、顧客が複数のカセットを預け入れている場合に自動的に内容物情報を表示する処理を、顧客が内容物情報の表示を選択した時にのみ内容物情報を表示する処理にするなど）、あるいは、手動的におこなわれるものとして説明した処理の全部または一部を公知の方法で自動的におこなうこともできる（例えば、内容物情報の登録を入力によって行う処理を、カセットの内容物の写真を撮り、この画像データを解析することによって判定した内容物を内容物情報として自動的に登録するなど）。この他、上記文書中や図面中で示した処理手順、制御手順、具体的名称、各種のデータやパラメータを含む情報については、特記する場合を除いて任意に変更することができる。
【０１４６】
また、図示した各装置の各構成要素は機能概念的なものであり、必ずしも物理的に図示（例えば、図５など）の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１４７】
なお、本実施例で説明したケース収納方法（例えば、図９、１１、１３、１５、１６、１８など）は、あらかじめ用意されたプログラムをパーソナルコンピュータやワークステ
ーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１４８】
以上のように、本発明に係るケース収納装置およびサーバは、利用者の物品を内在したケースを収納し、当該ケース各々を識別可能な識別情報の入力を受け付けると、当該識別情報によって識別されるケースを排出することに有用であり、特に、ケースに内在する物品が何であるかを物品の払い出しを希望する者に認識させることに適する。
【図面の簡単な説明】
【０１４９】
【図１】実施例１における重要物預かり機の概要および特徴を説明するための図である。
【図２】図１に示したカセットの蓋を閉めた状態および蓋を開けた状態を示す斜視図である。
【図３】ＩＤタグ内のメモリに記憶したデータの一例を示す図である。
【図４】実施例１における重要物預かり機の外観を示す斜視図である。
【図５】実施例１における重要物預かり機の構成を示すブロック図である。
【図６】顧客情報登録テーブルを説明するための図である。
【図７】カセット収納テーブルを説明するための図である。
【図８】カセット内容物テーブルを説明するための図である。
【図９】カセット預け入れ時の処理の手順を示すフローチャートである。
【図１０】カセット預け入れ時の表示操作部の画面例を示す図である。
【図１１】カセット払い出し時の処理の手順を示すフローチャートである。
【図１２】カセット払い出し時の表示操作部の画面例を示す図である。
【図１３】利用契約時の処理の手順を示すフローチャートである。
【図１４】内容物情報入力時の表示操作部の画面例を示す図である。
【図１５】実施例２におけるカセット預け入れ時の処理の手順を示すフローチャートである。
【図１６】実施例２におけるカセット預け入れ時の処理の手順を示すフローチャートである。
【図１７】実施例３における重要物預かり機のネットワーク構成を示す図である。
【図１８】実施例３における内容物情報公開Ｗｅｂサーバの処理の手順を示すフローチャートである。
【符号の説明】
【０１５０】
１００  重要物預かり機
１１０  本体部
１１１  扉開閉検知センサ
１１２  顧客検知センサ
１２０  カセット受渡口
１３０  表示操作部
１３１  預け入れボタン
１３２  払い出しボタン
１３３  ユーザ管理設定モードボタン
１３４  テンキー
１３５  入力し直しボタン
１４０  生体情報認証部
１６０  管理装置
２００  カセット
２１０  上部ケース
２２０  下部ケース
２３０  ＩＤタグ
２４０  ピン
２５０  施錠ロック
３００  カセット収納部
３５０  記憶部
３５１  顧客情報登録テーブル
３５２  カセット収納テーブル
３５３  カセット内容物テーブル
４００  カセット搬送装置
４０１  リーダライタ
４４４  搬送駆動制御部
５００  モータ
６００  主制御部
６１０  新規登録部
６１１  内容物情報入力部
６２０  預け入れ部
６３０  払い出し部
６３１  内容物情報取得部
６３２  内容物情報出力部
６４０  精査判定部
【図１】
2008305355.tif 000003
【図２】
2008305355.tif 000004
【図３】
2008305355.tif 000005
【図４】
2008305355.tif 000006
【図５】
2008305355.tif 000007
【図６】
2008305355.tif 000008
【図７】
2008305355.tif 000009
【図８】
2008305355.tif 000010
【図９】
2008305355.tif 000011
【図１０】
2008305355.tif 000012
【図１１】
2008305355.tif 000013
【図１２】
2008305355.tif 000014
【図１３】
2008305355.tif 000015
【図１４】
2008305355.tif 000016
【図１５】
2008305355.tif 000017
【図１６】
2008305355.tif 000018
【図１７】
2008305355.tif 000019
【図１８】
2008305355.tif 000020